【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
システムクロックで動作する基地局であって、前記基地局は、
第１の無線周波数（ＲＦ）搬送波上に変調された第１のＲＦ信号を、第１のチャネルを介して移動局に送信する送信機であって、前記第１のＲＦ搬送波は第１の位相を有し、前記第１のチャネルは第１の可変位相遅延（Δφ１）を有し、前記移動局は前記第１のＲＦ信号を受信し、前記第１のＲＦ搬送波を再生し、再生された前記第１のＲＦ搬送波を用いて第２のＲＦ搬送波を生成し、再生された前記第１のＲＦ搬送波及び前記第２のＲＦ搬送波の少なくとも一方を用いてローカルクロックを同期させる、送信機と、
前記第２のＲＦ搬送波上に変調された第２のＲＦ信号を、第２のチャネルを介して前記移動局から受信する受信機であって、前記第２のＲＦ搬送波は第２の位相を有し、前記第２のチャネルは第２の可変位相遅延（Δφ２）を有する、受信機と、
前記第１の位相と前記第２の位相との間の差に基づいて、位相誤差信号を求める位相誤差検出器とを備える、基地局において、前記基地局は、
前記位相誤差信号に基づいて、制御信号（μ）を生成し、
前記制御信号を、前記第１の可変位相遅延の逆相（−Δφ１）を近似する第１の関数（Δφ３（μ））を有する第１の逆チャネルモデルに適用し、及び、前記第２の可変位相遅延の逆相（−Δφ２）を近似する第２の関数（Δφ４（μ））を有する第２の逆チャネルモデルに適用するようにプログラムされる、コントローラをさらに備え、
近似された前記第１の可変位相遅延の逆相は、前記送信機によって前記第１のチャネルを介して前記移動局に送信される後続の第１のＲＦ信号に適用され、それにより、前記第１のチャネルの前記第１の可変位相遅延、及び前記第１の可変位相遅延から生じる前記移動局におけるクロック位相誤差を低減することを特徴とする、基地局。
【請求項２】
近似された前記第２の可変位相遅延の逆相は、前記移動局から前記第２のチャネルを介して前記受信機によって受信される後続の第２のＲＦ信号に適用され、それにより、前記第１の位相と前記第２の位相との比に基づいて、前記第２のチャネルの前記第２の可変位相遅延及び前記位相誤差信号を低減する、請求項１に記載の基地局。
【請求項３】
前記第１の逆チャネルモデルは第１の位相シフタを備え、前記第２の逆チャネルモデルは第２の位相シフタを備える、請求項１に記載の基地局。
【請求項４】
前記第１の関数及び前記第２の関数はそれぞれ、前記制御信号の線形関数である、請求項１に記載の基地局。
【請求項５】
前記第１のＲＦ信号は、トレーニングシーケンスを含むクロック同期信号を含む、請求項１に記載の基地局。
【請求項６】
前記トレーニングシーケンスはバーカーコードを含む、請求項５に記載の基地局。
【請求項７】
前記第１の位相は０であり、前記第２の位相は、前記第１のＲＦ搬送波及び前記第２のＲＦ搬送波の累積された位相を含む、請求項１に記載の基地局。
【請求項８】
前記コントローラは、比例・積分・微分（ＰＩＤ）コントローラを含む、請求項１に記載の基地局。
【請求項９】
前記ＰＩＤコントローラは以下のように前記制御信号を生成し、
【数２】
2021510480.tif 000001
ここで、Ｐは比例係数であり、Ｉは積分係数であり、Ｄは微分係数であり、最初に、Ｐは１／（ω１＋ω２）に設定され、ＩはＤに設定され、Ｉ及びＤはそれぞれ０に等しく、ω１は前記第１のＲＦ信号の周波数成分を表し、ω２は前記第２のＲＦ信号の周波数成分を表す、請求項８に記載の基地局。
【請求項１０】
基地局のシステムクロックと、前記基地局から遠隔した移動局のローカルクロックとの間のクロック同期を実行する方法であって、前記方法は、
前記基地局によって、第１の無線周波数（ＲＦ）搬送波上に変調された第１のＲＦ信号を、第１のチャネルを介して移動局に送信するステップであって、前記第１のＲＦ搬送波は第１の位相を有し、前記第１のチャネルは第１の可変位相遅延（Δφ１）を有する、送信するステップと、
前記移動局によって、前記第１のＲＦ搬送波を再生し、再生された前記第１のＲＦ搬送波を用いて第２のＲＦ搬送波を生成し、再生された前記第１のＲＦ搬送波及び前記第２のＲＦ搬送波の少なくとも一方を用いてローカルクロックを同期させるステップと、
前記基地局によって、
前記第２のＲＦ搬送波上に変調された第２のＲＦ信号を、第２のチャネルを介して前記移動局から受信するステップであって、前記第２のＲＦ搬送波は第２の位相を有し、前記第２のチャネルは第２の可変位相遅延（Δφ２）を有する、受信するステップと、
前記第１の位相及び前記第２の位相との間の位相差に基づいて、位相誤差信号を求めるステップと、
前記位相誤差信号に基づいて、制御信号（μ）を生成するステップと、
前記制御信号を第１の位相シフタに適用することによって、前記第１の可変位相遅延の逆相（−Δφ１）を近似するステップと、
前記第１の位相シフタを用いて、後続の第１のＲＦ信号の前記第１の位相を前記第１の可変位相遅延の逆相（−Δφ１）だけシフトし、それにより、前記第１の可変位相遅延、及び前記第１の可変位相遅延から生じる前記位相誤差信号を低減するステップとを有する、方法。
【請求項１１】
前記制御信号を第２の位相シフタに適用することによって、前記第２の可変位相遅延の逆相（−Δφ２）を近似するステップと、
前記第２の位相シフタを用いて、後続の第２のＲＦ信号の前記第２の位相を前記第２の可変位相遅延の逆相（−Δφ２）だけシフトし、それにより、前記第２の可変位相遅延と、少なくとも前記第１の可変位相遅延及び前記第２の可変位相遅延から生じる前記位相誤差信号とを低減するステップとをさらに有する、請求項１０に記載の方法。
【請求項１２】
前記制御信号（μ）を生成するステップは、
【数３】
2021510480.tif 000002
を有し、ここで、Ｐは比例係数であり、Ｉは積分係数であり、Ｄは微分係数である、請求項１０に記載の方法。
【請求項１３】
前記第１のＲＦ信号は、トレーニングシーケンスを含むクロック同期信号を含む、請求項１に記載の方法。
【請求項１４】
ｉ）システムクロックで動作する基地局であって、前記基地局は、
第１の無線周波数（ＲＦ）搬送波上に変調された第１のＲＦ信号を、第１のチャネルを介して送信する送信機であって、前記第１のＲＦ搬送波は第１の位相を有し、前記第１のチャネルは第１の可変位相遅延（Δφ１）を有する、送信機と、
前記第２のＲＦ搬送波上に変調された第２のＲＦ信号を、第２のチャネルを介して受信する受信機であって、前記第２のＲＦ搬送波は第２の位相を有し、前記第２のチャネルは第２の可変位相遅延（Δφ２）を有する、受信機と、
前記第１の位相と前記第２の位相との間の差に基づいて、位相誤差信号を求める位相誤差検出器と、
コントローラとを備える、基地局と、
ｉｉ）ローカルクロックで動作する移動局であって、前記移動局は、
前記第１のＲＦ搬送波上に変調された前記第１のＲＦ信号を、前記第２のチャネルを介して受信する受信機と、
前記第１のＲＦ搬送波を再生し、再生された前記第１のＲＦ搬送波を用いて前記第２のＲＦ搬送波を生成し、再生された前記第１のＲＦ搬送波及び前記第２のＲＦ搬送波の少なくとも一方を用いて前記ローカルクロックを前記システムクロックに同期させる位相同期ループ（ＰＬＬ）と、
前記第２のＲＦ搬送波上に変調された前記第２のＲＦ信号を、第２のチャネルを介して送信する送信機であって、前記第２のＲＦ搬送波は第２の位相を有し、前記第２のチャネルは第２の可変位相遅延（Δφ２）を有する、送信機とを備える、
移動局と
を備える、ワイヤレス通信システムにおいて、
前記コントローラは、
前記位相誤差信号に基づいて、制御信号（μ）を生成し、
前記制御信号を、前記第１の可変位相遅延の逆相（−Δφ１）を近似する第１の関数（Δφ３（μ））を有する第１の逆チャネルモデルに適用し、前記第２の可変位相遅延の逆相（−Δφ２）を近似する第２の関数（Δφ４（μ））を有する第２の逆チャネルモデルに適用するようにプログラムされ、
近似された前記第１の可変位相遅延の逆相は、前記送信機によって前記第１のチャネルを介して前記移動局に送信される後続の第１のＲＦ信号に適用され、それにより、前記第１のチャネルの前記第１の可変位相遅延と、前記第１の可変位相遅延から生じる前記移動局におけるクロック位相誤差とを低減することを特徴とする、ワイヤレス通信システム。
【請求項１５】
近似された前記第２の可変位相遅延の逆相は、前記移動局から前記第２のチャネルを介して前記受信機によって受信される後続の第２のＲＦ信号に適用され、それにより、前記第１の位相と前記第２の位相との比に基づいて、前記第２のチャネルの前記第２の可変位相遅延及び前記位相誤差信号を低減する、請求項１４に記載のワイヤレス通信システム。